(57)【要約】【課題】符号化処理機能を有する無線基地局の評価方法に関し、予測が困難なフェージングの影響を排除して無線基地局を正確に評価する方法及び装置を提供する。【解決手段】無線基地局1において符号化処理されたベースバンドの試験データを下りリンクフレームR1として受信した試験データを、誤り訂正を行わずに逆符号化処理を行い、逆符号化処理された試験データを評価装置2で評価する。あるいは、符号化処理機能を有する無線基地局の評価方法において、符号化処理した試験データを含むベースバンドの上りリンクフレームに擬似伝搬路処理を施して無線基地局1に与える無線基地局1で復号化処理された該上りリンクフレーム中の試験データを評価装置2で評価する。さらには、上記の下りリンクフレームと上りリンクフレームの両方を用いて該第2ステップで逆符号化処理された試験データ中のフィードバック制御情報を、評価装置2で評価する。【選択図】図１   
2005269071.tif 000002
【特許請求の範囲】
【請求項１】
符号化処理機能を有する無線基地局の評価方法において、
該無線基地局において符号化処理されたベースバンドの試験データを下りリンクフレームとして受信する第1ステップと、
該受信した下りリンクフレームの試験データを、誤り訂正を行わずに逆符号化処理を行う第2ステップと、
該逆符号化処理された試験データを評価する第3ステップと、
を備えたことを特徴とする無線基地局の評価方法。
【請求項２】
符号化処理機能を有する無線基地局の評価方法において、
符号化処理した試験データを含むベースバンドの上りリンクフレームを生成する第1ステップと、
該生成された上りリンクフレームに擬似伝搬路処理を施して該無線基地局に与える第2ステップと、
該無線基地局で復号化処理された該上りリンクフレーム中の試験データを評価する第3ステップと、
を備えたことを特徴とする無線基地局の評価方法。
【請求項３】
請求項１において、
イレギュラーなフィードバック制御情報を設定する第4ステップと、
該第2ステップで逆符号化処理された試験データ中のフィードバック制御情報を、該第4ステップで設定したフィードバック制御情報に変更する第5ステップと、
該第5ステップで変更されたフィードバック制御情報を含むベースバンドの上りリンクフレームを生成し擬似伝搬路処理を施して該無線基地局に与える第6ステップと、
該無線基地局で復号化処理された該上りリンクフレーム中のフィードバック制御情報が該無線基地局において符号化処理されたベースバンドの下りリンクフレーム中に挿入して送られて来たとき、該フィードバック制御情報を、該第4ステップで設定したフィードバック制御情報と比較して評価する第7ステップと、
を備えたことを特徴とする無線基地局の評価方法。
【請求項４】
請求項１から３のいずれか一つにおいて、
該符号化処理が、3GPPに準拠した畳込み符号化処理又はターボ符号化処理であることを特徴とした無線基地局の評価方法。
【請求項５】
請求項１において、
該第2ステップが、3GPPに準拠した畳込み符号化処理に対するビタビ復号化処理又はターボ符号化処理に対するターボ復号化処理を行わずに、該符号化処理の逆処理を行うことを特徴とした無線基地局の評価方法。
【請求項６】
符号化処理機能を有する無線基地局の評価装置において、
該無線基地局において符号化処理されたベースバンドの試験データを該無線基地局から下りリンクフレームとして受信する第1手段と、
該受信した下りリンクフレームの試験データを、誤り訂正を行わずに逆符号化処理を行う第2手段と、
該逆符号化処理された試験データを評価する第3手段と、
を備えたことを特徴とする無線基地局の評価装置。
【請求項７】
符号化処理機能を有する無線基地局の評価装置において、
符号化処理した試験データを含むベースバンドの上りリンクフレームを生成する第1手段と、
該生成された上りリンクフレームに擬似伝搬路処理を施して該無線基地局に与える第2手段と、
該無線基地局で復号化処理された該上りリンクフレーム中の試験データを評価する第3手段と、
を備えたことを特徴とする無線基地局の評価装置。
【請求項８】
請求項６において、
イレギュラーなフィードバック制御情報を設定する第4手段と、
該第2手段で逆符号化処理された試験データ中のフィードバック制御情報を、該第4手段で設定したフィードバック制御情報に変更する第5手段と、
該第5手段で変更されたフィードバック制御情報を含むベースバンドの上りリンクフレームを生成し擬似伝搬路処理を施して該無線基地局に与える第6手段と、
該無線基地局で復号化処理された該上りリンクフレーム中のフィードバック制御情報が該無線基地局において符号化処理されたベースバンドの下りリンクフレーム中に挿入して送られて来たとき、該フィードバック制御情報を、該第4手段で設定したフィードバック制御情報と比較して評価する第7手段と、
を備えたことを特徴とする無線基地局の評価装置。
【請求項９】
請求項６から８のいずれか一つにおいて、
該符号化処理が、3GPPに準拠した畳込み符号化処理又はターボ符号化処理であることを特徴とした無線基地局の評価装置。
【請求項１０】
請求項６において、
該第2手段が、3GPPに準拠した畳込み符号化処理に対するビタビ復号化処理又はターボ符号化処理に対するターボ復号化処理を行わずに、該符号化処理の逆処理を行うことを特徴とした無線基地局の評価装置。
【発明の詳細な説明】
【技術分野】
【０００１】
本発明は、無線基地局の評価方法及び装置に関し、特にCDMA（符号分割多元接続）方式を用いた無線基地局において複雑な通信プロトコルで構成されるベースバンド処理部の評価方法及び装置に関するものである。
【背景技術】
【０００２】
図15は、上記のような無線基地局の評価方法及びその方法を実現する評価装置の従来技術を示したものである（例えば、特許文献1参照。）。
【０００３】
図において、評価装置7は、無線基地局1と無線回線RLで接続されており、無線部71とAD/DA変換部72とベースバンド処理部73とインタフェース部74と制御部75とで構成されている。無線部71は無線基地局1との無線接続を行い、AD/DA変換部72は、下り方向は無線部71より受信したアナログ信号をデジタルデータへ変換してベースバンド処理部73へ送出し、上り方向はベースバンド処理部73からのデジタルデータをアナログ信号へ変換して無線部71へ送出するものである。
【０００４】
ベースバンド処理部73は、下り方向において逆拡散処理部731とデコード部732とを有し、逆拡散処理部731は、制御部75から設定された拡散コード情報に基づき、AD/DA変換部72からの受信データに対して逆拡散を施した結果のデータをデコード部732へ送出し、デコード部732は、この受信データに対して制御部75から設定されたデコードのためのパラメータ情報に基づき、ビット・デ・インタリーブ処理、ビタビ復号・ターボ復号処理等を施してインタフェース部74に送るものである。
【０００５】
インタフェース部74は、この下り方向においてデコード部732からのデータをユーザデータ、制御データに分別し、ユーザデータについてはデータの種類に応じて音声インタフェース部(IF)741、ISDNインタフェース部742、パケットインタフェース部743へ送り、制御データについては制御部75へそれぞれ渡すものである。
【０００６】
そして、音声インタフェース部741、ISDNインタフェース部742、及びパケットインタフェース部743はそれぞれ、ハンドセット8、ISDN端末9、及びパソコン10をそれぞれ接続可能にしている。
【０００７】
また、上り方向においては、音声インタフェース部741、ISDNインタフェース部742、及びパケットインタフェース部743からのユーザデータと、制御部75からの制御データをまとめてエンコード部733へ渡す。エンコード部733は制御部75から設定されたエンコードのためのパラメータ情報に基づき、インタフェース部74から送られたユーザデータ及び制御データに対して畳込み符号・ターボ符号化処理、ビット・インタリーブ処理等を施した後、拡散処理部734へ渡す。
【０００８】
拡散処理部734は、エンコード部733からのデータを、制御部75から設定された拡散コードを用いて拡散処理を施した後、AD/DA変換部72へ送出し、ここでアナログ信号に変換された後無線部71から無線回線RLを介して無線基地局1へ送られるようになっている。
【特許文献１】特開2002-77069号公報
【発明の開示】
【発明が解決しようとする課題】
【０００９】
上記のような従来技術においては、被評価装置である無線基地局1と評価装置7とを通常の運用状態と同じアナログ変調信号を傍受した形でインタフェースすることにより送受信データの生成・解析を実施するものであり、評価装置7と無線基地局1のインタフェース間においてフェージングの影響を受けることになる。この場合、フェージングの影響は想定・設定が難しく、特に環境が異なった現行運用装置での評価は非常に困難となる。
【００１０】
このため、無線基地局の中枢となる、デジタル処理されるベースバンド処理機能を評価する際、送受信データに対しフェージングの影響を常に考慮する必要が生ずる。特に、無線基地局のベースバンド処理機能の検証を行う場合、通常、各種パラメータに基づきビタビ復号やターボ復号により復号化処理されたデータを復号処理し、この復号処理によるビット誤り訂正が施された受信データの評価・確認を実施する構成となる。
【００１１】
しかしながら、このような場合、無線基地局のベースバンド処理の誤動作によって付加されたビット誤りか、フェージングによるビット誤りかの判断が非常に困難になるという問題があった。
【００１２】
従って本発明は、符号化処理機能を有する無線基地局の評価方法において、予測が困難なフェージングの影響を排除して無線基地局を正確に評価する方法及び装置を提供することを目的とする。
【課題を解決するための手段】
【００１３】
上記の目的を達成するため、本発明に係る無線基地局の評価方法(1)は、該無線基地局において符号化処理されたベースバンドの試験データを下りリンクフレームとして受信する第1ステップと、該受信した下りリンクフレームの試験データを、誤り訂正を行わずに逆符号化処理を行う第2ステップと、該逆符号化処理された試験データを評価する第3ステップとを備えたことを特徴としている。
【００１４】
すなわち、無線基地局に試験データを入力すると、無線基地局においてはこの試験データを符号化処理してアナログ変調を掛ける(具体的には、デジタル変調(拡散)→DA変換→搬送波)が、このとき無線基地局からアナログ変調を掛ける前(具体的には、搬送波帯域に変換する前)にベースバンドの状態で符号化処理された試験データを下りリンクフレームの形で送信して来るので、第1ステップではこの下りリンクフレームを受信する(具体的には、受信しデジタル復調(逆拡散とシンボル推定)を行う)。そして、第2ステップではこのように第1ステップで受信(具体的には、受信と逆拡散)した下りリンクフレームの試験データを、誤り訂正を行わずに逆符号化処理を行う。そして、第3ステップでは、このように第2ステップで逆符号化処理された試験データを評価することになる。
【００１５】
このようにして、無線基地局から無線回線を経由せずにベースバンドの試験データを符号化処理された形で受信したとき、この試験データを、誤り訂正を行わずに逆符号化処理、すなわち無線基地局における符号化処理の逆の処理を行うことによって無線回線に伴うフェージングの影響を排除した状態で試験データの評価を行うので、試験データに誤りがあった場合には、誤り訂正が行われないので、そのまま無線基地局の符号化処理にエラーが発生したことを検出することができる。
【００１６】
また本発明に係る無線基地局の評価方法(2)は、符号化処理した試験データを含むベースバンドの上りリンクフレームを生成する第1ステップと、該生成された上りリンクフレームに擬似伝搬路処理を施して該無線基地局に与える第2ステップと、該無線基地局で復号化処理された該上りリンクフレーム中の試験データを評価する第3ステップとを備えたものでもよい。
【００１７】
すなわち、上記の本発明の評価方法(1)の場合には、無線基地局からの下りリンクを経由して受信した試験データの評価を行う場合を扱っているが、この評価方法(2)の場合には今度は無線基地局への上りリンクにおいて試験データを評価するものである。
【００１８】
このため、まず第1のステップでは、試験データを設定して符号化処理を施した後、この試験データを上りリンクフレームに含めてベースバンド信号の形で送出する。そして、第2のステップでは、このように生成された上りリンクフレームに対して擬似伝搬路処理を施した後、無線基地局に与える。従って無線基地局では上りリンクフレームをベースバンドの形式で受信することになる。無線基地局ではこのようにして受信した上りリンクフレームを復号化処理するが、第3ステップでは、このとき上りリンクフレーム中の試験データを評価することになる。
【００１９】
このようにして本発明では、試験データを符号化処理した後、擬似伝搬路処理を施しているので、この試験データがあたかも無線回線を伝搬するような形で無線基地局に与えられるので、無線基地局において復号化処理する際、誤り訂正処理が伴うので、この際、評価する試験データにエラーが検出された場合には、無線基地局におけるベースバンド処理機能における復号化処理、すなわち誤り訂正機能に障害が発生していることを検出することができる。
【００２０】
さらに、本発明に係る無線基地局の評価方法(3)においては更に、上記の下りリンクにおける評価方法(1)の第1〜第3ステップに加えて、イレギュラーなフィードバック制御情報を設定する第4ステップと、該第2ステップで逆符号化処理された試験データ中のフィードバック制御情報を、該第4ステップで設定したフィードバック制御情報に変更する第5ステップと、該第5ステップで変更されたフィードバック制御情報を含むベースバンドの上りリンクフレームを生成し擬似伝搬路処理を施して該無線基地局に与える第6ステップと、該無線基地局で復号化処理された該上りリンクフレーム中のフィードバック制御情報が該無線基地局において符号化処理されたベースバンドの下りリンクフレーム中に挿入して送られて来たとき、該フィードバック制御情報を、該第4ステップで設定したフィードバック制御情報と比較して評価する第7ステップとを備えることができる。
【００２１】
すなわち、端的に言えば本評価方法(3)は、上記の下りリンクフレームを用いた評価方法(1)に、上りリンクを経由した評価方法(2)を組み合わせたものである。このため、評価方法(1)の第1〜第3ステップの次に、第4ステップではイレギュラーなフィードバック制御情報、すなわち故意に電源立上時の通信確立情報や送信電力や或いは再送制御情報を変更するために設定しておき、第5ステップでは、上記の第2ステップで逆符号化処理された試験データ中のフィードバック制御情報を、上記の第4ステップで設定したフィードバック制御により更新する。
【００２２】
そして、第6ステップでは、このように第5ステップで更新されたフィードバック制御情報をベースバンド信号のまま上りリンクフレームとして擬似伝搬路処理を施した後無線基地局に与える。これにより無線基地局では、受信した上りリンクフレームを復号化処理するが、このとき復号化処理された上りリンクフレーム中のフィードバック制御情報を取り出して無線基地局からの下りリンクフレーム中にやはりベースバンド信号の形で符号化処理されベースバンド信号の形で送られて来るので、第7ステップでは、このときのフィードバック制御情報を、上記の第4ステップで設定したフィードバック制御情報と比較することにより評価するものである。
【００２３】
従って、無線基地局におけるベースバンド処理機能である送信データ生成や送信電力値制御をビットレートで検証することが可能となる。
【００２４】
上記の評価方法(1)を実現する評価装置(1)としては、該無線基地局において符号化処理されたベースバンドの試験データを該無線基地局から下りリンクフレームとして受信する第1手段と、該受信した下りリンクフレームの試験データを、誤り訂正を行わずに逆符号化処理を行う第2手段と、該逆符号化処理された試験データを評価する第3手段とで構成することができる。
【００２５】
また、上記の評価方法(2)を実現する評価装置(2)としては、符号化処理した試験データを含むベースバンドの上りリンクフレームを生成する第1手段と、該生成された上りリンクフレームに擬似伝搬路処理を施して該無線基地局に与える第2手段と、該無線基地局で復号化処理された該上りリンクフレーム中の試験データを評価する第3手段とで構成することができる。
【００２６】
さらに評価方法(3)を実現する評価装置(3)は、上記の評価装置(1)に加えて、イレギュラーなフィードバック制御情報を設定する第4手段と、該第2手段で逆符号化処理された試験データ中のフィードバック制御情報を、該第4手段で設定したフィードバック制御情報に変更する第5手段と、該第5手段で変更されたフィードバック制御情報を含むベースバンドの上りリンクフレームを生成し擬似伝搬路処理を施して該無線基地局に与える第6手段と、該無線基地局で復号化処理された該上りリンクフレーム中のフィードバック制御情報が該無線基地局において符号化処理されたベースバンドの下りリンクフレーム中に挿入して送られて来たとき、該フィードバック制御情報を、該第4手段で設定したフィードバック制御情報と比較して評価する第7手段とを備えることができる。
【００２７】
なお、上記の符号化処理は、3GPPに準拠した畳込み符号化処理又はターボ符号化処理であればよい。
【００２８】
また、上記の第2ステップ又は第2手段は、3GPPに準拠した畳込み符号化処理に対するビタビ復号化処理又はターボ符号化処理に対するターボ復号化処理を行わずに、該符号化処理の逆処理を行うものであればよい。
【００２９】
また、上記の第3ステップ又は第3手段は、該試験データに付加された冗長符号からエラー検出を行うことができる。
【００３０】
また、上記の第3ステップ又は第3手段は、該無線基地局から入力した試験データと、該第2手段で逆符号化処理された試験データとを比較することによって該評価を行うこともできる。
【００３１】
さらに上記の下りリンクフレームは、分離されて複数の移動局のチャネルに対して評価対象となることができる。
【００３２】
さらに上記の上りリンクフレームは、複数の移動局のチャネルを多重化したものとすることができる。
【００３３】
さらに上記の上りリンクフレームを、該擬似伝搬路処理と無線伝送路処理のいずれかを選択可能にすることもできる。
【００３４】
上記の擬似伝搬路処理部は、送信データに雑音を付加する雑音付加処理部と、該雑音付加処理部の出力データをマルチパスに分割して互いに異なった遅延量を与えると共にそれぞれに対応して電力補正を行った後、全データを加算して出力するマルチパス生成処理部とで構成することができる。
【発明の効果】
【００３５】
以上のように本発明に係る無線基地局の評価方法及び装置によれば、無線回線によるフェージングの影響を排除した形で無線基地局のベースバンド機能を正確に評価することが可能となる。また、上りリンクと擬似伝搬路処理を利用することにより試験データは正確なものであることを前提にして擬似伝搬路処理によるフェージングの誤り訂正が無線基地局において正確に行われるか否かを評価することが可能となる。また、下りリンクと上りリンクの双方を利用することにより、下りリンク受信制御情報に従った上りリンク送信データの自動生成を評価することが可能となる。これにより、任意の送信電力値を設定可能とし、また無線基地局の受信電力値制御を容易に検証することが可能となる。
【００３６】
このようにして、従来技術では出来なかった複数移動局との通信状態における各種の検証を行うことが出来るようになる。また、サービス運用中の無線基地局において、現行サービスを停止することなく無線基地局の動作検証・調査を実施することができる。
【発明を実施するための最良の形態】
【００３７】
図1は、本発明に係る無線基地局の評価方法及び装置を実現するシステム全体の構成例を示したものである。この構成例では、無線基地局1に対して評価装置2を設け、無線基地局1と評価装置2とをベースバンド・インタフェース3で接続している。また、無線基地局1は図15に示した無線基地局1と同様のものであり、ベースバンド処理部11とA/D変換部13とD/A変換部14と無線処理部15とを備え、この無線処理部15をアンテナ4に接続したものである。但し、本発明においては、無線基地局1におけるベースバンド処理部11からベースバンドデータをアナログ変調信号(搬送波帯域)に変換する前に直接評価装置2に接続するために、切替スイッチ12を設けている点が異なっている。
【００３８】
また、ベースバンド処理部11は、従来と同様に、送信データに対する符号化処理部111と、この符号化処理部111で符号化処理された送信データを高速系データD1及び非高速系データD2に分けてフレーム化するフレーム化部112と、このフレーム化部112におけるフレーム生成の再送制御等を行うHARQ・スケジューリング処理部113と、フレーム化部112でフレーム化された送信データに対して拡散処理を施す拡散処理部114と、拡散処理部114における拡散処理に際して送信電力を制御するための電力値を与える送信電力制御部115と、A/D変換部13からのデータに対してマルチパスのパス検出を行うパス検出部116と、このパス検出部116の出力データに対して送信側とは逆の拡散処理を行う逆拡散処理部117と、この逆拡散処理部117で元の状態に戻されたフレームに対して復号化処理を施して受信データを出力すると共に、この復号化されたデータの中から送信電力値を送信電力制御部115に与えると共に、再送制御信号をHARQ・スケジューリング処理部113に送る復号化処理部118とで構成されている。
【００３９】
評価装置2は、本発明に係る評価方法を実現する装置であり、下りリンクデータ受信処理部21と、外部端末5に接続された端末インタフェース22と、端末インタフェース22からのデータを入力して上りリンクデータを生成する上りリンクデータ生成処理部23と、この上りリンクデータ生成処理部23で生成された上りリンクフレーム5に対して擬似伝搬路処理を施す擬似伝搬路処理部24と、下りリンクデータ受信処理部21で受信処理した下りリンクデータ中のフィードバック制御情報を書き換えて上りリンクデータ生成処理部23に与えるフィードバック制御部25と、これらの各部に対する制御を司る制御部26とで構成されている。
【００４０】
この内、下りリンクデータ受信処理部21は、無線基地局1からの受信データに対して逆拡散処理を行う逆拡散処理部211と、この逆拡散処理部211からの出力データに対して逆フレーム化及び逆符号化処理を行う逆フレーム化・逆符号化処理部212と、この逆フレーム化・逆符号化処理部212において逆フレーム化され且つ逆符号化処理された高速データD1及び非高速系データD2を保持する受信データメモリ213とで構成されている。また更に、上りリンクデータ生成処理部23は、端末インタフェース22からのデータを保持する送信データメモリ231と、この送信データメモリ231に保持されたデータに対して符号化処理を施す符号化処理部232と、この符号化処理部232で符号化処理されたデータをフレーム化するフレーム化部223と、このフレーム化部223から出力されるフレームデータを、送信電力制御部235からの送信電力値を加えて拡散し擬似伝搬路処理部24に与える拡散処理部234とで構成されている。
下りリンクによる評価方式(1)
図2は、無線基地局1から評価装置2への下りリンクにおいて評価装置2がデータ評価を行う時の信号経路を示したものである。すなわち、この下りリンク評価系の場合には、無線基地局1に入力される通常の送信データとして試験データが入力され、点線で示される信号ルートR1に沿ってこの試験データが流れ、評価装置2を経由して外部端末5に出力され、この外部端末5において試験データがチェックされることとなる。
【００４１】
図3は、このような下りリンクにおける試験データの評価手順を示したものである。
【００４２】
まず、無線基地局1において、切替スイッチ12を図示のように切り替えることにより、ベースバンド処理部11を、A/D変換部13及びD/A変換部14から、それぞれ擬似伝搬路処理部24及び逆拡散処理部211に接続切替する（ステップS1）。ただし、ここでは、下りリンク評価系の信号ルートR1のみが働く。
【００４３】
この後、無線基地局1の符号化処理部111に対して試験データを送信データとして入力する(ステップS2)。この符号化処理部111においては、上記のように無線基地局1をCDMA方式に対応したものとすると、試験データに対して畳込み符号又はターボ符号による符号化処理が施されることになる。そしてこのように符号化処理された試験データは高速系データD1及び非高速系データD2に分けてフレーム化部112においてフレーム化され、拡散処理部114に送られる。拡散処理部では、上述した従来技術と同様に試験データに拡散処理が施されて送出され、切替スイッチ12及びインタフェース3を経由して評価装置2における下りリンクデータ受信処理部21に送られる。
【００４４】
評価装置2における下りリンクデータ受信処理部21では、無線基地局1からの信号、すなわちベースバンド処理部11からのベースバンドデータを受信して逆拡散処理部211において逆拡散が施される（ステップS3）。
【００４５】
このように逆拡散処理部211で逆拡散された受信データ、すなわち試験データは逆フレーム化・逆符号化処理部212に送られ、高速系データD1及び非高速系データD2に分かれてそれぞれ逆フレーム化・逆符号化処理が施される。すなわち、この逆フレーム化・逆符号化処理は、実際のビタビ復号化又はターボ復号化を実行せず、無線基地局1のベースバンド処理部11で実行される符号化処理及びフレーム化処理（これは3GPP：3rdGeneration Partnership Projectに準拠）の逆処理のみを実行するものである（ステップS4）。
【００４６】
そして、このようにして逆フレーム化及び逆符号化処理が施された試験データは高速系データD1及び非高速系データD2共に受信データメモリ213に格納された後、端末インタフェース22を経由して外部端末5に出力される。そして、この外部端末5では試験データの評価が行われる（ステップS5）。この場合の評価は、試験データに付加された冗長符号であるCRCビットをチェックすることによりエラー検出するか、或いは無線基地局1で入力した送信元の試験データと外部端末5に出力された試験データとを比較することによりその一致／不一致に基づき評価を行うことができる。
【００４７】
図4は、図2に示した評価装置2における下りリンクデータ受信処理部21内の逆フレーム化・逆符号化処理部212の動作（図3のステップS4の処理）を示したものであり、図4（1）は高速系データD1に対するチャンネル処理フローを示し、同図（2）は非高速系データD2に対するチャンネル処理フローを示している。
【００４８】
まず同図（1）の高速系データD1に対するチャンネル処理フローにおいて、まず逆拡散処理部211からの逆拡散処理データを受信すると（ステップS11）、ベースバンド処理部11に対応した16QAM対応処理を行い（ステップS12）、無線基地局1の符号化処理部111及びフレーム化部112の処理と逆の処理、すなわち逆インタリーブ処理（ステップS13）、トランスポートチャンネル検出処理（ステップS14）、逆チャンネル符号化処理（ステップS15）、及び逆ビットデスクランブル処理（ステップS16）を実行し、更にCRCビットに対してCRCチェックを実行する（ステップS17）。或いは、逆ビットデスクランブル処理（ステップS16）を行った後の試験データを送信データと比較することにより評価を行うことが可能となる。
【００４９】
ここで、上記のステップS15においては、基地局1の符号化処理部111において畳込み符号又はターボ符号による符号化を実行していても、ここではそれに伴うビタビ復号化やターボ復号化は実行せず、単に符号化処理部111における符号化処理を逆方向に紐解くように処理するだけであるので、誤り訂正は行われないことになる。
【００５０】
図4（2）においては、逆拡散処理部211からの逆拡散処理データを受信すると（ステップS21）、非高速系データD2に対して、符号化処理部111及びフレーム化部112での処理と逆の処理、すなわち第2逆インタリーブ処理（ステップS22）、トランスポートチャンネル検出処理（ステップS23）、第1逆インタリーブ処理（ステップS24）、逆レートマッチング処理（ステップS25）、逆チャンネル符号化処理（ステップS26）、及びトランスポートブロック抽出処理（ステップS27）を実行し、同図（1）の場合と同様にCRCチェック（ステップS28）を行うか、試験データと送信データとを比較することによって評価を行うことになる。この非高速系データチャンネルの場合も、ステップS26で実行される逆チャンネル符号化処理においては、無線基地局1における符号化処理部111での符号化処理と丁度逆の処理を行うだけであり、誤り訂正処理は何ら行われない。
【００５１】
図4は高速系及び非高速系のデータチャンネルの処理フローを示しているが、図5の場合には高速系のデータD1に対する制御チャンネルデータの処理フローを示したものである。尚、非高速系データD2に対してはこのような制御チャンネルデータは使用されない。
【００５２】
図において、逆拡散処理部211からの逆拡散処理データを受信すると（ステップS31）、データチャンネルの情報と制御チャンネルの情報に分かれて実行される。すなわち、データチャンネルの情報S1に関しては、端末IDを受けることにより、特定の逆マスク処理を実行し（ステップS32）、この処理結果のデータR1に対して第1逆レートマッチング処理を行い（ステップS33）、この処理結果のデータZ1に対して第1逆チャンネル符号化処理を実行し（ステップS34）、この処理結果のデータX1に対して分離処理を行って（ステップS35）、チャンネル化符号セット情報Xccs及び延長スキーム情報（1ビット）Xmsを出力する。
【００５３】
また、制御チャンネル情報R2に関しては、まず第2逆レートマッチング処理を行い（ステップS36）、この処理結果のデータZ2に対して第2逆チャンネル符号化処理を実行し（ステップS37）、この処理結果のデータYと上記のステップS34での処理結果のデータX1とでCRCチェックを行い（ステップS38）、このチェック結果のデータX2を分離処理し（ステップS39）、この分離処理された内の冗長コンステレーション版情報（3ビット）Xrvを分離し、この処理データXrvとステップS35から分離されたデータXmsとに基づいてRV逆符号化処理を行い（ステップS40）、16QAM・RV符号r,s,bを出力する。またステップS39での分離処理からは、トランスポートサイズ情報Xtbs，ハイブリッドARQプロセス情報（3ビット）Xhap，及びニューデータフラグ（1ビット）Xndが分離出力されることとなる。
【００５４】
このように、高速系データD1に対する制御チャネルデータ処理においても逆符号化処理を行うだけであり、誤り訂正は行われない。
上りリンクによる評価方式(2)
図6は、今度は評価装置2から無線基地局1への上りリンクを利用して無線基地局1のベースバンド処理を評価しようとするものである。すなわち、評価装置2に接続された外部端末5に送信元の試験データを入力すると、この試験データは一点鎖線で示す信号ルートR2に沿って端末インタフェース22から上りリンクデータ生成処理部23及び擬似伝搬路処理部24を経由して出力され、インタフェース3を介して無線基地局1に入力される。無線基地局1においては、上述の如く、切替スイッチ12が評価装置2の側に切り替えられているので、この場合にはベースバンド処理部11のパス検出部116に試験データが送られ、更に逆拡散処理部117及び復号化処理部118を経由して受信データとして試験データが得られるので、この試験データをチェックすることにより無線基地局1のベースバンド処理に対する評価を行うことが可能となる。
【００５５】
図7は、このような上りリンクにおける評価手順を示したものである。
【００５６】
まず、外部端末5から試験データを入力し設定する（ステップS11）、これにより試験データは端末インタフェース22を経由して上りリンクデータ生成処理部23に対し直接又は間接に設定されることになる。
【００５７】
試験データを入力した上りリンクデータ生成処理部23においては、送信データメモリ231に試験データを蓄積し、符号化処理部232においてCRC演算付加、符号化、インタリーブ、レートマッチング等の一連のトランスポートチャンネル処理を実行する（ステップS12）。
【００５８】
この後、符号化処理部232からの出力データはフレーム化部223に送られて無線フレーム（物理チャンネル）へのマッピング処理が実行され（ステップS13）、このようにマッッピングされたデータと送信電力制御部235によって設定された送信電力値に対し、拡散処理部234が拡散処理を実行する（ステップS14）。
【００５９】
このようにして上りリンクデータ生成処理部23で生成された上りリンクフレームは擬似伝搬路処理部24に与えられると、この擬似伝搬路処理部24においては、擬似的にフェージング環境が与えられて、試験データに雑音が付加されることになる（ステップS15）。
【００６０】
このようにして擬似伝搬路処理部24から出力されたデータはインタフェース3を経由してベースバンド処理部11に与えられると、パス検出部116でパス検出し、逆拡散処理部117で逆拡散処理し、さらに復号化処理部118で復号化処理を行った後、データを評価する（ステップS16）。
【００６１】
このステップS16におけるデータ評価は図3のステップS5に示した試験データの評価方法と同様であり、CRCチェックのエラー検出か又は外部端末5に入力した送信元の試験データと無線基地局1から出力された試験データとを照合することによりそのエラーを検出することが可能となる。
【００６２】
ここで、図6に示した擬似伝搬路処理部24の一実施例が図8に示されている。すなわち、この擬似伝搬路処理部24は、雑音付加処理部241とマルチパス生成処理部242とで構成されており、雑音付加処理部241は、上りリンクデータ生成処理部23の拡散処理部234からの送信データと、雑音生成部2421からの雑音とを加算部2422で加算してマルチパス生成処理部242に出力するものである。この場合、雑音生成部2421は、図6に示したように端末インタフェース22からの雑音レベル設定値及び雑音付加タイミング設定値を受けて雑音を生成するものである。
【００６３】
マルチパス生成処理部242は、雑音付加処理部241からの雑音が付加された送信データを受けると、n個に送信データを分割する。そして、遅延部2411_1〜2411_nにおいてそれぞれ異なった遅延時間が与えられた後、電力補正部2412_1〜2412_nに与えられる。これらの電力補正部2412_1〜2412_nにおいては、遅延部2411_1〜2411_nに対応した電力補正値が与えられて出力される。これらの電力補正部2412_1〜2412_nの出力データはパス電力加算部2413において加算され、マルチパスデータとして出力されることになる。
【００６４】
このようにして上りリンク評価系では擬似伝播路処理部24によってビット誤りが生じることは無いので、試験データにエラーが検出されたときには、ベースバンド処理部11での受信系統に障害が有ると評価することが可能となる。
フィードバックリンクによる評価方式(3)
図9は、図2に示した下りリンク評価系と図6に示した上りリンク評価系とを組み合わせることによりフィードバックリンク評価系を構成したものである。すなわち、信号ルートR1に沿って下りリンク評価系のデータが流れるとき、この下りリンクデータ中のフィードバック制御情報が信号ルートR3に従い、下りリンクデータ受信処理部21の逆フレーム化・逆符号化処理部212からフィードバック制御部25に与えられる。このフィードバック制御部25では、予め外部端末5等からフィードバック制御情報が与えられており、下りリンクデータ受信処理部21からのフィードバック制御情報を更新して(変更して)上りリンクデータ生成処理部23に与える。従って上りリンクデータ生成処理部23では、この更新されたフィードバック制御情報を上りリンクフレームに付加して出力し、擬似伝搬路処理部24を経由して無線基地局1に送出することになる。
【００６５】
このように上りリンクを経由してフレームデータを受信した無線基地局1は、上記の上りリンク評価系と同様に切替スイッチ12を経由してベースバンド処理部11におけるパス検出部116と逆拡散処理部117と復号化処理部118とを経由して受信データを出力するが、復号化処理部118においては、この上りリンクフレーム中のフィードバック制御情報を抽出して信号ルートR3から出力する。この内、送信電力値は送信電力制御部115に送られ、再送制御情報はHARQ・スケジューリング処理部113に送られる。HARQ・スケジューリング処理部113では、再送制御信号をフレーム化部112に送り、これによりフレーム化部112で生成されるフレーム中に再送要求が挿入されて拡散処理部114に与えられ、一方、送信電力制御部115では送信電力制御情報が拡散処理部114に与えられ、この情報もフレームに付加されて拡散され、切替スイッチ12からインタフェース3を経由して評価装置2に送られることになる。
【００６６】
評価装置2においては、上記の下りリンク評価系と同様に下りリンクデータ受信処理部21から端末インタフェース22を経由して外部端末5に試験データが送られ、最初に外部端末5で設定したフィードバック制御情報と下りリンクから戻って来たフィードバック制御情報とを照合し、両者の一致／不一致により下りリンク評価系と上りリンク評価系の両者が正常であるか否かを判定することができる。
【００６７】
図10は、このようなフィードバックリンクの評価手順を示したものである。
【００６８】
まず、評価装置2において、フィードバック制御情報を外部端末5又は制御部26から設定する（ステップS21）。
【００６９】
この後、フィードバック制御部25で各種の受信データを監視し（ステップS22）、下りリンクの受信データ中のフィードバック制御情報を、故意にイレギュラーに設定したフィードバック制御信号で置換して上りリンクフレームに挿入する（ステップS23）。そして、3GPPに準拠して上りリンクデータ生成処理部23において上述したようにデータ生成処理が行われ、擬似伝搬路処理部24からインタフェース3及び切替スイッチ12を経由して無線基地局1のベースバンド処理部11に与えられる。
【００７０】
そして、ベースバンド処理部11では、パス検出部116と逆拡散処理部117と復号化処理部118とを経由して受信データを出力する際、復号化処理部118で抽出した送信電力値を送信電力制御部115に与えると共に、再送制御情報をHARQ・スケジューリング処理部113を経由してフレーム化部112に送る。その後、拡散処理部114において送信電力制御情報及び再送制御情報をフィードバック制御情報として格納した下りリンクフレームを拡散処理し、無線基地局1から評価装置2へ信号ルートR1に沿って送出する。
【００７１】
そして、評価装置2においては信号ルートR1に沿って下りリンクデータ受信処理部21を通り、更に端末インタフェース22から外部端末5に出力されるので、外部端末5に最初に設定されたフィードバック制御情報と戻って来たフィードバック制御情報とを比較することによりフィードバック制御情報のエラーを検出することが可能となる。
【００７２】
この場合のフィードバック制御部25の実施例が図11に示されている。この実施例では、受信データ監視部251と送信データ制御部252とで構成され、受信データ監視部251は、逆フレーム化・逆符号化処理部212からの受信データの内、非高速系のデータD2である通信確立情報（これは電源立ち上げ時の通信確立情報）を監視するAICH監視部2511と、同じく非高速系のデータD2である電力制御情報を監視するTPC監視部2512と、高速系のデータD1を監視する高速系データ監視部2513とを備えている。
【００７３】
そして、送信データ制御部252においては、AICH監視部2511からの通信確立情報に関する送信指示部2521において、外部端末5より設定された送信データ情報によって更新し、これを上りリンクデータとして上りリンクデータ生成処理部23へ送るものである。また送信データ制御部252における電力制御指示部2522は、TPC監視部2512からの電力制御情報を、やはり外部端末5から設定された送信データ情報によって置き換え、イレギュラーな送信電力値を上りリンクデータ生成処理部23へ与えるものである。更に、再送制御情報送信部2523は、高速系データ監視部2513からの再送制御情報を受け、外部端末5から設定された送信データ情報によって置き換えられた新たなイレギュラーな再送制御情報を上りリンクデータ生成部23へ送るように構成されている。
【００７４】
図12は、本発明に係る評価装置の他の実施例を示したものである。この実施例は、図1に示した実施例における評価装置2を一つの無線移動局とした場合の評価装置2をn個用いて評価装置20を構成したものである。このため、擬似伝搬路処理部24からの出力データはMS多重処理部27で集められ、上りリンクデータに出力されることとなる。また、下りリンクに関しては、各評価装置2_1〜2_nにおいて搭載した逆拡散処理部211において、外部端末5から設定された拡散コードにより該当するデータの抽出処理が行われることとなる。
【００７５】
図13には、図1に示した評価システムの別の構成例が示されている。この構成例では、擬似伝搬路処理部24の後段に分岐部28を設け、更にスイッチ設定部29によってこの分岐部28を切り替え制御することにより、上りリンクデータ生成処理部23からの上りリンクデータが擬似伝搬路処理部24を通過する場合と通過しない場合を選択できるようにしており、擬似伝搬路処理部24の出力データを分岐部28が選択するように制御された場合には上記の上りリンク評価系と同様の信号ルートとなるが、分岐部28が擬似伝搬路処理部24をバイパスするように切り替え選択されている場合には、RFインタフェース部30を経由して通常の無線回線と同様のルートを経由することになる。すなわち、RFインタフェース部にはRF部（IQデジタル変調器）61とフェージング生成器62とが接続されており、実際にアナログ変調信号においてフェージングが生じるような状態を擬似的に発生させ、そのフェージング生成器62からの出力信号を送受分波器（UTE）6を経由して無線処理部15に与えるようにしている。
【００７６】
このようにすることにより、無線基地局の実際の無線回線を含めた総合的な試験環境における評価を実現することが可能となる。
【００７７】
図14には、上述した無線基地局の構成例が示されている。この構成例では、無線基地局1に対する評価装置（ユニット）2を無線基地局1の空きスロット又は予め用意した評価用スロットへ挿入可能な構成とし、バックボードより電源、基準信号を評価ユニット2へ供給可能としたものである。また、無線基地局1と評価装置2との接続をバックボード経由の接続とするか、又はユニット前面に用意したコネクタにより接続可能とし、上りリンクデータ及び下りリンクデータの動作調査を可能にしている。更にデータ表示や制御信号の設定用に用意される外部端末5をユニット2の前面コネクタから接続可能とすることが可能である。
【００７８】
（付記１）
符号化処理機能を有する無線基地局の評価方法において、
該無線基地局において符号化処理されたベースバンドの試験データを下りリンクフレームとして受信する第1ステップと、
該受信した下りリンクフレームの試験データを、誤り訂正を行わずに逆符号化処理を行う第2ステップと、
該逆符号化処理された試験データを評価する第3ステップと、
を備えたことを特徴とする無線基地局の評価方法。
（付記２）
符号化処理機能を有する無線基地局の評価方法において、
符号化処理した試験データを含むベースバンドの上りリンクフレームを生成する第1ステップと、
該生成された上りリンクフレームに擬似伝搬路処理を施して該無線基地局に与える第2ステップと、
該無線基地局で復号化処理された該上りリンクフレーム中の試験データを評価する第3ステップと、
を備えたことを特徴とする無線基地局の評価方法。
（付記３）付記１において、
イレギュラーなフィードバック制御情報を設定する第4ステップと、
該第2ステップで逆符号化処理された試験データ中のフィードバック制御情報を、該第4ステップで設定したフィードバック制御情報に変更する第5ステップと、
該第5ステップで変更されたフィードバック制御情報を含むベースバンドの上りリンクフレームを生成し擬似伝搬路処理を施して該無線基地局に与える第6ステップと、
該無線基地局で復号化処理された該上りリンクフレーム中のフィードバック制御情報が該無線基地局において符号化処理されたベースバンドの下りリンクフレーム中に挿入して送られて来たとき、該フィードバック制御情報を、該第4ステップで設定したフィードバック制御情報と比較して評価する第7ステップと、
を備えたことを特徴とする無線基地局の評価方法。
（付記４）付記１から３のいずれか一つにおいて、
該符号化処理が、3GPPに準拠した畳込み符号化処理又はターボ符号化処理であることを特徴とした無線基地局の評価方法。
（付記５）付記１において、
該第2ステップが、3GPPに準拠した畳込み符号化処理に対するビタビ復号化処理又はターボ符号化処理に対するターボ復号化処理を行わずに、該符号化処理の逆処理を行うことを特徴とした無線基地局の評価方法。
（付記６）付記１又は２において、
該第3ステップが、該試験データに付加された冗長符号からエラー検出を行うことによって該評価を行うことを特徴とした無線基地局の評価方法。
（付記７）付記１又は２において、
該第3ステップが、該評価すべき試験データを、送信元の試験データと比較することによって該評価を行うことを特徴とした無線基地局の評価方法。
（付記８）付記１又は３において、
該下りリンクフレームが、分離されて複数の移動局のチャネルに対して評価対象となることを特徴とした無線基地局の評価方法。
（付記９）付記２又は３において、
該上りリンクフレームが、複数の移動局のチャネルを多重化したものであること特徴とした無線基地局の評価方法。
（付記１０）付記２又は３において、
該上りリンクフレームを、該擬似伝搬路処理と無線伝送路処理のいずれかを選択可能にしたことを特徴とする無線基地局の評価方法。
（付記１１）
符号化処理機能を有する無線基地局の評価装置において、
該無線基地局において符号化処理されたベースバンドの試験データを該無線基地局から下りリンクフレームとして受信する第1手段と、
該受信した下りリンクフレームの試験データを、誤り訂正を行わずに逆符号化処理を行う第2手段と、
該逆符号化処理された試験データを評価する第3手段と、
を備えたことを特徴とする無線基地局の評価装置。
（付記１２）
符号化処理機能を有する無線基地局の評価装置において、
符号化処理した試験データを含むベースバンドの上りリンクフレームを生成する第1手段と、
該生成された上りリンクフレームに擬似伝搬路処理を施して該無線基地局に与える第2手段と、
該無線基地局で復号化処理された該上りリンクフレーム中の試験データを評価する第3手段と、
を備えたことを特徴とする無線基地局の評価装置。
（付記１３）付記１１において、
イレギュラーなフィードバック制御情報を設定する第4手段と、
該第2手段で逆符号化処理された試験データ中のフィードバック制御情報を、該第4手段で設定したフィードバック制御情報に変更する第5手段と、
該第5手段で変更されたフィードバック制御情報を含むベースバンドの上りリンクフレームを生成し擬似伝搬路処理を施して該無線基地局に与える第6手段と、
該無線基地局で復号化処理された該上りリンクフレーム中のフィードバック制御情報が該無線基地局において符号化処理されたベースバンドの下りリンクフレーム中に挿入して送られて来たとき、該フィードバック制御情報を、該第4手段で設定したフィードバック制御情報と比較して評価する第7手段と、
を備えたことを特徴とする無線基地局の評価装置。
（付記１４）付記１１から１３のいずれか一つにおいて、
該符号化処理が、3GPPに準拠した畳込み符号化処理又はターボ符号化処理であることを特徴とした無線基地局の評価装置。
（付記１５）付記１１において、
該第2手段が、3GPPに準拠した畳込み符号化処理に対するビタビ復号化処理又はターボ符号化処理に対するターボ復号化処理を行わずに、該符号化処理の逆処理を行うことを特徴とした無線基地局の評価装置。
（付記１６）付記１１又は１２において、
該第3手段が、該試験データに付加された冗長符号からエラー検出を行うことによって該評価を行うことを特徴とした無線基地局の評価装置。
（付記１７）付記１１又は１２において、
該第3手段が、該評価すべき試験データを、送信元の試験データと比較することによって該評価を行うことを特徴とした無線基地局の評価装置。
（付記１８）付記１１又は１３において、
該下りリンクフレームが、分離されて複数の移動局のチャネルに対して評価対象となることを特徴とした無線基地局の評価装置。
（付記１９）付記１２又は１３において、
該上りリンクフレームが、複数の移動局のチャネルを多重化したものであること特徴とした無線基地局の評価装置。
（付記２０）付記１２又は１３において、
該上りリンクフレームを、該擬似伝搬路処理と無線伝送路処理のいずれかを選択可能にしたことを特徴とする無線基地局の評価装置。
（付記２１）
送信データに雑音を付加する雑音付加処理部と、
該雑音付加処理部の出力データをマルチパスに分割して互いに異なった遅延量を与えると共にそれぞれに対応して電力補正を行った後、全データを加算して出力するマルチパス生成処理部と、
を備えたことを特徴とする擬似伝搬路処理部。
【図面の簡単な説明】
【００７９】
【図１】本発明に係る無線基地局の評価方法及び装置を含むシステムの全体構成例を示したブロック図である。
【図２】本発明に係る無線基地局の評価方法及び装置における下りリンク評価系の信号経路を示した図である。
【図３】図2に示した下りリンク評価系の処理手順を示したフローチャート図である。
【図４】図1に示した下りリンクデータ受信処理部における逆フレーム化・逆符号化処理部における高速系及び非高速系の各データチャンネル処理を示したフローチャート図である。
【図５】図1に示した下りリンクデータ受信処理部における逆フレーム化・逆符号化処理部212における高速制御チャンネルデータ処理を示したフローチャート図である。
【図６】本発明に係る無線基地局の評価方法及び装置における上りリンク評価系の信号経路を示した図である。
【図７】図6に示した上りリンク評価系の処理手順を示したフローチャート図である。
【図８】図6に示した上りリンク評価系で用いられる擬似伝搬路処理部の一実施例を示したブロック図である。
【図９】本発明に係る無線基地局の評価方法及び装置におけるフィードバックリンク評価系の信号経路を示した図である。
【図１０】図9に示したフィードバックリンク評価系の処理手順を示したフローチャート図である。
【図１１】図9に示したフィードバックリンク評価系で用いられるフィードバック制御部の一実施例を示したブロック図である。
【図１２】本発明に係る評価装置の他の実施例を示したブロック図である。
【図１３】図1に示した評価システムの別の構成例を示したブロック図である。
【図１４】本発明に用いられる無線基地局の実装例を示した図である。
【図１５】従来技術に係る無線基地局の評価装置を示したブロック図である。
【符号の説明】
【００８０】
1  無線基地局
2，20  評価装置  
2_1〜2_n  評価装置
3  インタフェース
4  アンテナ
5  外部端末
11  ベースバンド処理部
111, 232  符号化処理部
112, 233  フレーム化部
113  HARQ・スケジューリング処理部
114, 234  拡散処理部
115, 235  送信電力制御部
116  パス検出部
117, 211  逆拡散処理部
118  復号化処理部
12  切替スイッチ
13  A/D変換部
14  D/A変換部
15  無線処理部
21  下りリンクデータ受信処理部
212  逆フレーム化・逆符号化処理部
213  受信データメモリ
22  端末インタフェース
23  上りリンクデータ生成処理部
231  送信データメモリ
24  擬似伝搬路処理部
25  フィードバック制御部
26  制御部
241  雑音付加処理部
242 マルチパス生成処理部
27  MS多重処理部
28  分岐部
29  スイッチ設定部
30  RFインタフェース
61  RF部（デジタル変調器）
62  フェージング生成器
6  送受分波器（UTE）
図中、同一符号は同一又は相当部分を示す。
【図１】
2005269071.tif 000003
【図２】
2005269071.tif 000004
【図３】
2005269071.tif 000005
【図４】
2005269071.tif 000006
【図５】
2005269071.tif 000007
【図６】
2005269071.tif 000008
【図７】
2005269071.tif 000009
【図８】
2005269071.tif 000010
【図９】
2005269071.tif 000011
【図１０】
2005269071.tif 000012
【図１１】
2005269071.tif 000013
【図１２】
2005269071.tif 000014
【図１３】
2005269071.tif 000015
【図１４】
2005269071.tif 000016
【図１５】
2005269071.tif 000017